(57)【要約】【課題】ＬＥＤ等の発光素子を用いた車両用前照灯において、配光設計を容易に行えるようにする。【解決手段】半導体を用いた発光素子と、反射鏡又はレンズを含む光学系を備えた車両用前照灯において、発光素子が、第一の照射ビームに用いられる発光部１９ａと、第二の照射ビームに用いられる発光部１９ｂを備えており、それぞれの発光部を各別に点灯することで照射ビームが切り換えられるように構成した。【選択図】          図８
2004158294.tif 000002
【特許請求の範囲】
【請求項１】
半導体を用いた発光素子と、反射鏡又はレンズを含む光学系を備えた車両用前照灯において、
上記発光素子が、第一の照射ビームに用いられる一又は複数の発光部と、第二の照射ビームに用いられる一又は複数の発光部を備えており、それぞれの発光部を各別に点灯することで照射ビームが切り換えられるようにした
ことを特徴とする車両用前照灯。
【請求項２】
請求項１に記載の車両用前照灯において、
上記発光素子が、走行用ビームの照射に用いられる第一の発光部と、すれ違いビームの照射に用いられる第二の発光部を有していること、
そして、上記の第一及び第二の発光部が発光素子の光軸方向からみて該光軸に直交する水平方向に沿う横長の形状を有し、該発光部の光源像が上記光学系を介して主に水平方向に拡大されることで配光パターンが形成される
ことを特徴とする車両用前照灯。
【請求項３】
請求項２に記載の車両用前照灯において、
上記第二の発光部が発光素子の光軸方向からみて長方形状をなし、その長辺が発光素子を構成するレンズ部の中心軸に接して直交している
ことを特徴とする車両用前照灯。
【請求項４】
請求項３に記載の車両用前照灯において、
灯具の照射光軸方向に直交する方向において、上記第二の発光部の２つの長辺のうち上記第一の発光部に近い方の長辺と、該第一の発光部の中心との間の間隔が０．３乃至１ミリメートルとされている
ことを特徴とする車両用前照灯。
【請求項５】
請求項１に記載の車両用前照灯において、
上記第一の照射ビームに用いられる発光部と、上記第二の照射ビームに用いられる発光部との間に光遮蔽部を設けた
ことを特徴とする車両用前照灯。
【発明の詳細な説明】
【０００１】
【発明の属する技術分野】
本発明は、発光ダイオード等の半導体発光素子を光源に用いた車両用前照灯において、複数の照射ビームを切り換えて機能別の配光を得るための技術に関する。
【０００２】
【従来の技術】
車両用灯具の光源には白熱電球や放電灯が使用されるが、低消費電力化や小型化等を目的として、半導体を用いた発光ダイオード（ＬＥＤ）等の発光素子が着目されている。
【０００３】
例えば、ＬＥＤを用いた灯具例としては、ハイマウントストップランプやリヤサイドマーカーランプ等が挙げられる。
【０００４】
ところで、ＬＥＤ等の半導体を用いた発光素子を、車両用前照灯の光源に用いる場合には、すれ違いビームの配光パターンを作り出すために光学設計上の工夫を必要とする。例えば、マトリックス状に配置された多数の半導体光源を用いて種々の光機能について切り換えを行えるようにした構成形態が知られている（例えば、特許文献１参照。）。
【０００５】
【特許文献１】
特開２００１−２６６６２０号公報（図１、図４）
【０００６】
【発明が解決しようとする課題】
ところで、車両用前照灯への適用においては、走行用ビームやすれ違いビームの切換えを必要とするため、複数の発光素子を用いる構成形態ではビームに応じて使用する発光素子を選択する必要がある。しかしながら、これまでに知られている発光素子は、車両用配光を充分に考慮して設計がなされていないため、そのような素子を光源に用いて光学設計を行う場合に、各種の不都合がある。例えば、すれ違いビームの配光では、明暗境界を規定するカットライン（あるいはカットオフライン）を明確に形成することが難しい。また、多数の発光素子を用いる場合には、それらの占有スペースが増加することが問題となる。
【０００７】
そこで、本発明は、ＬＥＤ等の発光素子を用いた車両用前照灯において、配光設計を容易に行えるようにすることを課題とする。
【０００８】
【課題を解決するための手段】
本発明は、半導体を用いた発光素子と、反射鏡又はレンズを含む光学系を備えた車両用前照灯において、発光素子が、第一の照射ビームに用いられる一又は複数の発光部と、第二の照射ビームに用いられる一又は複数の発光部を備えており、それぞれの発光部を各別に点灯することで照射ビームが切り換えられるように構成したものである。
【０００９】
従って、本発明によれば、使用する照射ビームに応じて発光素子内の発光部を切り換えることにより、照射目的に応じた光学系の配光設計が容易になる。
【００１０】
【発明の実施の形態】
本発明は、光源として発光素子を用いた車両用前照灯に関するものであり、ヘッドランプやフォグランプ等に適用することができる。尚、半導体を用いた発光素子には、例えば、ｐｎ接合に順方向電流を流すことで発光するＬＥＤや、電界により発光するＥＬ素子等が挙げられる。
【００１１】
図１は、ＬＥＤを例にしてその構造を概略的に示したものである。
【００１２】
発光素子１は、チップ部２、反射部３、蛍光体４、レンズ部５を備えており、本例では、発光部１ａが、チップ部２、反射部３、蛍光体４から構成されている。
【００１３】
チップ部２には、例えば、Ａｌ−Ｉｎ−Ｇａ−Ｐ系、Ｉｎ−Ｇａ−Ｎ系材料等が用いられ、図示のようにチップ部２を支持部材（リードフレームやステム等）に直接マウントする方法と、チップ部をサブマウント部材に搭載して該部材を支持部材にマウントする方法が挙げられる。また、チップ部２に形成された電極にはボンディングワイヤ（図示せず。）が接続される。
【００１４】
反射部３は、チップ部２の周囲に設けられる部材において形成されている。例えば、チップ部２の支持部材がカップ状の部分を有し、これに凹面を形成することで反射面が形成される。チップ部２で発生する光は、発光素子の光軸を中心に指向特性を有しており、光軸から離れるにつれて光強度が弱まる。よって、図に「６ａ」で示す直射光と、「６ｂ」、「６ｃ」で示す反射光に区分した場合に、光軸方向の直射光が最も強いが、「６ｂ」のようにチップ部２から側方に出る光を有効に利用するために反射部３が設けられる。つまり、該反射部３の反射面において光が反射されて前方（照射方向）に向かう光となる。尚、「６ｃ」に示す光は、発光層から出た後、照射方向とは反対側に向かう光を示し、これは、チップ部２の後端面における反射によって前方の向かう光となったり、あるいは、チップ部２の後端面における反射の後、チップ部２の側面から出射して反射部３にて反射される。
【００１５】
蛍光体４はチップ部２及びその周辺部を覆っている。白色光を得るには、例えば、青色発光のチップ部と、ＹＡＧ蛍光体等の黄色発光材料を用いて混色を行えば良い。
【００１６】
レンズ部５はチップ部２の前方に配置されるか、又は発光部１ａを樹脂レンズ内に包み込んだ構造とされる。後者では、発光部全体を樹脂に埋め込んで指向性を高める方法が採られ、例えば、ストップランプ等に使用される、砲弾型の形状をしたものが知られている。チップ部２から広角に放射される光がレンズ内部で反射したり、レンズ側面部から出射して損失光とならないようにするためには、ドーム型や半球状のレンズが好ましい。また、全反射や反射手段を利用した光路制御により、チップ部の放射光を有効に取り出すことで光利用効率を高めることが好ましい。
【００１７】
発光素子の光軸方向から見て、発光部の光源像が円形状をした素子では、発光部において発生した光のうち、その大半部が直射光であり、円形パターンの形成に寄与し、その周囲に位置する円環状のパターンがレンズ部の側面から出た光によって形成されて擬似光源となる。
【００１８】
このように、光源の光度分布が光軸回りに回転対称性を有する場合には、光軸方向からみてほぼ円形をしたパターンに基いて、非回転対称性の配光パターンを形成する必要があるため、光学設計が難しくなる。例えば、すれ違いビーム配光におけるカットラインのような、直線的な部分を形成することが困難である（円弧状をした部分を単に繋ぎ合せたのでは、明瞭な直線部を形成し難いため。）。
【００１９】
そこで、発光素子の光度分布が、光軸回りに非回転対称性を有する場合に、発光部が発光素子の光軸に直交する方向に沿う横長の形状をもつことで、光学系を介した投影像のパターン形状が直線的な部分を有するように構成する。
【００２０】
図２は発光素子に係る光源像のパターン形状例を概念的に示したものであり、発光素子の光軸方向からみた形状例を示す。
【００２１】
図示のように光源像７のパターン形状の外周縁がほぼ矩形状をした例を示す。
【００２２】
本例では、光軸方向からみた発光部１ａの形状が長方形状をなしており、後述するように、その光源像が主としてその長手方向に拡大される。
【００２３】
尚、横長の投影パターンを得るためには長方形状が好ましいが、長手方向における端部が直線的である形状に限られないので、例えば、破線７′に示す光源像のように、長方形の４隅において角がとれ、丸みのついた形状でも良い。
【００２４】
このような光源像を得るためには、発光素子を構成するチップ部、反射部、蛍光体又はレンズ部の形状について、該発光素子の光軸回りに非回転対称性を有するように設計を行う。即ち、光源像のパターン形状を決める要素は、チップ部の形状、反射部や蛍光体の形状、レンズ部の形状及び材質、そして、これら構成部材に係る光学的な位置関係である。従って、各要素を組み合わせたシミュレーション結果（光線追跡や光度分布）に基いて、所望の光源像をもった発光素子を設計することができる。
【００２５】
発光部の形状を決めるものは、主にチップ部の外縁や、反射部又は蛍光体の外周縁であり、それらの寸法誤差のバラツキが大きいと配光設計に悪影響を及ぼす。従って、外形寸法誤差を０．１ｍｍ（ミリメートル）以下に規定することが好ましい。
【００２６】
また、発光素子の光軸方向からみたチップ部を所望の形状にして、半円柱状をした樹脂レンズ（モールドレンズ）でチップ部を覆った構成において、チップ部を任意の形状に設計することには、各種の技術的な困難性を伴うこと及び製造コスト的にも不利になること等を考慮して、反射部や蛍光体に係る形状設計を行う方法が有効である。つまり、チップ部の形状や指向特性に大幅な変更を加えることなく光度分布を変えることができる。
【００２７】
ところで、図３に示すような一般的なＬＥＤ８では、そのチップ部９の中心部が樹脂レンズ１０の中心軸１１上に位置された構造とされているため、このことがヘッドランプ配光にとって各種の不都合を招く原因となる。
【００２８】
例えば、樹脂レンズ１０の中心軸１１が、光学系の光軸に直交するように設定した上で、ＬＥＤ８からの光を、反射鏡で前方（照射方向）に反射させることにより、すれ違いビームの配光分布を形成するための光を得ようとすると、チップ部のうち、その中心部から外れた周辺部から発した光は、中心軸１１からのずれが大きく制御し難い。
【００２９】
そこで、発光素子の光軸方向からみた発光部の側縁について、その一辺を直線状に形成して、これがレンズ部の中心軸に接するように発光部の位置を規定する。
【００３０】
図４及び図５は発光素子の構成例１２を示しており、図４が側面図、図５が正面図である。
【００３１】
図４において、レンズ部１３の中心軸１４を一点鎖線で示しており、また、図５において、中心軸１４に直交して発光部の中心を通る縦軸１５と、この軸に直交する横軸１６を一点鎖線で示している。
【００３２】
本例では発光部１７が正面からみて長方形状をしており、その長辺１７ａがレンズ部１３の中心軸１４及び軸１６に接して直交している。尚、ヘッドランプの配光では、上下（鉛直）方向におけるパターンの広がりが比較的狭いのに対して、左右（水平）方向におけるパターンの広がりが大きいので、長方形状の投影パターンを用いることが好ましい。
【００３３】
図６は発光部１７による投影パターンを概略的に示したものであり、横軸「Ｈ」が水平線、縦軸「Ｖ」が鉛直線をそれぞれ示す。
【００３４】
発光部についてはこれを横長形状に形成する場合に最も簡単な長方形とし、その長辺がレンズ部１３の中心軸１４に接するように、発光部１７が中心軸１４及び軸１６を含む面の片側に寄った配置を採用する。これにより、ほぼ長方形状をした各投影像１８の一辺（長辺１７ａに対応する）を揃えることができる。灯具前方にスクリーンを配置した場合に、レンズ部１３の中心軸付近を通る光線については、歪みの少ない横長の像としてスクリーン上に投影されるので、明瞭なカットラインを形成することができる。また、このような横長の投影像を複数組み合わせることによりヘッドランプに必要な配光分布を得ることができる。そして、発光部を出てからレンズ部を透過した光を正しく制御することができるので、グレアの原因となる光を減らすことができる。
【００３５】
尚、投影像の大きさについては、レンズ部の焦点距離の設定により調整したり、あるいは、外部の拡散レンズを使用して調整することができる。
【００３６】
本発明では、一つの発光素子内に、第一の照射ビームに用いられる発光部と、第二の照射ビームに用いられる発光部を備えている。例えば、走行用ビーム（所謂ハイビーム）とすれ違いビーム（所謂ロービーム）の照射用に各別の発光部を用いる形態や、すれ違いビームとベンディングに各別の発光部を用いる形態等、要は２種類以上のビーム配光を、同一発光素子内の異なる発光部を用いて形成することができれば、如何なる形態でも構わない。
【００３７】
また、各照射ビームに用いる発光部についてその数の如何を問わないので、照射ビーム毎に一つ又は複数の発光部を用いることができ、各照射ビームに応じたそれぞれの発光部を各別に点消灯させることによって、照射ビームの切り換えを行うことができる。
【００３８】
図７乃至図９は、走行用ビームの照射に用いられる第一の発光部１９ａと、すれ違いビームの照射に用いられる第二の発光部１９ｂを有する発光素子１９の構成例を示したものである。尚、図７は発光素子１９の光軸に沿う方向からみた図、図８は発光部同士の位置関係を示す図、図９は斜視図である。
【００３９】
発光部１９ａと発光部１９ｂとの相対的な位置関係において、図７では第二の発光部１９ｂが上方に位置され、その左下方に第一の発光部１９ａが位置されている。尚、各発光部を構成するチップ部又は反射部の形状は横長の長方形状をしている。
【００４０】
そして、ほぼ半球状をした透明部材２０により基板２１において両発光部を覆うか、又はそれらの発光部が設けられた基板２１の前方に透明部材２０を配置した構成を有する。
【００４１】
図８は発光部１９ａ、１９ｂだけを取り出して両者の相対的な位置関係を示したものであり、両向き矢印「Ｌ」で示す方向が灯具の照射光軸の方向を示している。尚、図中の「ΔＸ」は、照射光軸に沿う方向における発光部間の中心間隔を示しており、第二の発光部１９ｂの中心を通ってＬ方向に対して直交する方向に延びる縦軸２２と、第一の発光部１９ａの中心を通ってＬ方向に対して直交する方向に延びる縦軸２３との間の間隔である。また、「ΔＹ」は照射光軸に直交する方向において、発光部１９ｂの長辺１９ｂｌと発光部１９ａの中心との間の間隔を示しており、長辺１９ｂｌを含んでＬ方向に対して平行な方向に延びる横軸２４と、第一の発光部１９ａの中心を通ってＬ方向に対して平行な方向に延びる横軸２５との間の間隔である。
【００４２】
図示のように、両発光部１９ａ、１９ｂの形状は、いずれもＬ方向に長くされた長方形とされ、使用ビームに応じて選択的に切り換えられる。
【００４３】
すれ違いビームに係る配光を考慮した場合に、第二の発光部１９ｂに係る光源像のうち、長辺１９ｂｌに対応した部分及びその近傍の光を、配光パターン上におけるカットラインの形成部に寄与する光として利用するために、長辺１９ｂｌを含む横軸２４を光学設計上の基準線に設定する。
【００４４】
走行ビーム及びすれ違いビームの両配光を、同一の反射鏡を用いて得るためには、横軸２４を基準にして、第一の発光部１９ａを所定の範囲内に配置することが好ましく、具体的には、ΔＹ＝０．３〜１．０ｍｍが実用上望ましい。即ち、第二の発光部１９ｂの２長辺のうち、第一の発光部１９ａに近い方の長辺１９ｂｌを含む横軸２４から、ΔＹ＝０．３〜１．０ｍｍの範囲に位置される横軸２５上に、第一の発光部１９ａの中心が位置されるように設定する。尚、ΔＹがこの範囲に比して短かすぎても、また長すぎてもヘッドランプに係る規格配光を得るための光学設計がし難くなる。
【００４５】
また、Ｌ方向に沿う方向における、両発光部間の中心間隔については、ΔＸ＝０．５〜１．５ｍｍの範囲が好ましい。これにより、走行用ビームの点灯時において照射方向を規定の方向に向けることができる。
【００４６】
このように、発光部１９ａ、１９ｂが灯具の照射光軸方向においても、また該方向に直交する方向においても位置的にずれた配置を採ることが好ましい。また、第二の発光部１９ｂについては、カットラインの形成が容易なように、その長辺１９ｂｌを基準軸（横軸２４）上に精度良く合わせることが望ましい。
【００４７】
尚、図７乃至図９に示した各発光部の位置関係は、車両前部の左右にそれぞれ配置される前照灯の一方についてだけ示したものであることに注意を要する（つまり、他方の前照灯については、車両の中心軸を含む鉛直面に関する灯具構造の面対称性から明らかなように、両発光部の位置関係が該鉛直面に関して逆となるので図８とは異なる。）。また、ΔＸやΔＹの数値範囲は、各発光部を構成するチップ部等のサイズには無関係である。
【００４８】
同一発光素子内に、複数の発光部を設けた構成では、各発光部を独立に点灯させる場合に、両者の境界部分を明確化することが必要である。例えば、複数の発光部に対して同一のレンズ部を備えた構成において、発光部を各別に光輝させた場合、レンズ部のある領域にはそれぞれの発光部からの光が透過することになる。あるいは、発光部の直射光に対して設計されているレンズ部に別の発光部からの光が進入してくる等の不都合が起きる。その結果、光学設計が難しくなったり、迷光の発生等が問題となる。
【００４９】
そこで、例えば、図１０の発光素子２６に示すように、第一の照射ビームに用いられる発光部２６ａと、第二の照射ビームに用いられる発光部２６ｂとの間に、光遮蔽部２７を仕切りとして設けることが好ましい（光遮蔽部には、光透過性の低さはもとより、熱伝導率の良好な既知の材料を用いる。）。
【００５０】
これによって、各発光部が光輝した場合の発光領域を明確に区分することができ、隣接する領域の境界部を超えて各発光部の光が進入することがなくなり、各領域を独立の光源として扱うことができる。
【００５１】
尚、上記の例では、ビーム毎に一つの発光部を設けた例を示したが、これに限らず、１ビーム当たり２以上の発光部を用いる構成形態でも構わない。
【００５２】
例えば、図１１に示すように、すれ違いビーム用に複数の発光部を配列させた構成を採用することができるが、各発光部の位置精度が低いと投影像が揃わなくなり、カットラインを明瞭に形成することができなくなるといった不都合が起きる。
【００５３】
図１１において、一点鎖線で示す直線Ｋがカットラインの形成上の基準線を示しており、該直線Ｋに対して実線で示す発光部２８、２８、…のようにそれらの一辺が揃った配置とされる場合には問題ないが、破線で誇張して示すように、発光部２８′、２８′、…が直線Ｋに対して不揃いの配置になると、適正な配光制御を行うことが難しくなる。
【００５４】
そこで、同一発光素子内に配列された複数の発光部間の相対的な位置誤差については、±０．０１ｍｍ以下に規定することが好ましく、特に、カットラインを明瞭に形成するためには、各発光部の一辺を直線上に精度良く揃えることが必要である。
【００５５】
図１２及び図１３は、本発明に係る車両用前照灯又は該前照灯を構成する照射部（照射ユニット）の構成例を示したものであり、投影光学系を用いた構成として、例えば、下記に示す形態が挙げられる。
【００５６】
（Ａ）発光素子から出射される直接光を主に利用する形態（図１２参照）
（Ｂ）発光素子から出射された後の反射鏡による反射光を主に利用する形態（図１３参照）。
【００５７】
図１２に示す車両用前照灯２９では、投影レンズ３０を含む光学系（投影光学系）３１が用いられている。即ち、本例では、発光素子３２、遮光部材（シェード）３３、投影レンズ３０を備えており、発光素子３２及び遮光部材３３が支持部材３４に設けられた構成を有する。そして、投影レンズ３０の物側焦点が遮光部材３３の上縁近傍に設定されている。尚、発光素子３２による光の一部を遮光部材３３の上縁において遮ることで形成される像を投影する場合に、遮光部材３３の上縁部を発光素子３２に極力近づけることが好ましい。
【００５８】
発光素子３２の光軸と灯具の光軸は互いに平行とされていて、該発光素子から発した光のうち、該発光素子の前方に位置された遮光部材３３によって遮られることなく前方に向かう光ｌ、ｌ、…が投影レンズ３０を透過した後、照射光となる。尚、遮光部材３３の上縁によって配光パターンの明暗境界を決めるカットラインが形成される。また、発光素子３２から出る光の放射角度が大きいと、投影レンズ３０を透過しない無効な光が多くなるので、投影レンズの径や位置を考慮して発散角度を規定する必要がある。
【００５９】
図１３に示す車両用前照灯３５では、投影レンズ３６及び反射鏡３７を含む光学系３８が用いられている。即ち、本例では、発光素子３９、反射鏡３７、投影レンズ３６を備えており、発光素子３９及び投影レンズ３６の支持部材４０が側方からみてクランク状に形成され、その一部が遮光部４０ａとされている。そして、反射鏡３７の焦点が発光素子３９の発光部又はその近傍に設定され、投影レンズ３６の物側焦点が遮光部４０ａの近傍に設定されている。尚、反射面の形状として、回転楕円面や楕円−放物複合面、あるいはこれら基本面として曲面操作により自由度を高めた自由曲面等が用いられる。
【００６０】
発光素子３９は、その光軸が灯具の光軸に対して直交する位置関係をもって支持部材４０に取り付けられており、発光素子３９から発した光は、その大半が反射鏡３７の反射面で反射される。その後、遮光部４０ａによって遮られることなく前方に向かう光ｌ、ｌ、…が投影レンズ３６を透過した後、照射光となる。尚、遮光部４０ａの上縁によって配光パターンの明暗境界を決めるカットラインが形成される。また、発光素子３９と遮光部４０ａとの間に平面反射鏡４１を設けることにより、光束利用率を高めることができる。透明材料を用いて支持部材４０及び投影レンズ３６を一体に成形することで、発光素子３９の取り付け位置、遮光部４０ａの上縁位置、投影レンズ３６の焦点位置等について高い精度をもって光学系構成部品を製造することができる。
【００６１】
上記した構成によれば、２種類以上の配光を得る場合にこれを発光部の選択によって切り換えられるようにした構成において、配光及び光学設計を容易に行うことができる。特に、走行用ビーム及びすれ違いビームの配光を考慮した発光部の形状及び配置を採用することにより、反射鏡等の光学系部品が設計し易くなり、また、発光素子を含む光学系の小型化、省スペース化に好適である。
【００６２】
【発明の効果】
以上に記載したところから明らかなように、請求項１に係る発明によれば、使用する照射ビームに応じて素子内の発光部を切り換えることにより、照射目的に応じて光学系の配光設計を容易に行うことができる。
【００６３】
請求項２に係る発明によれば、走行用ビーム及びすれ違いビームに係る車両用前照灯配光に適した投影パターンを得ることができる。
【００６４】
請求項３に係る発明によれば、すれ違いビーム配光におけるカットラインを明瞭に形成することができる。
【００６５】
請求項４に係る発明によれば、両発光部の相対的な位置を一定の距離範囲内に規定することによって、反射鏡等の光学設計への負担を軽減できる（例えば、同じ反射鏡を用いて走行用ビーム及びすれ違いビームの配光が容易に得られる等。）。
【００６６】
請求項５に係る発明によれば、発光部同士の境界部に光遮蔽部を設けることによって、互いの発光領域に光が進入しないよう光学的に分離することができる。
【図面の簡単な説明】
【図１】発光素子の構成例を示す説明図である。
【図２】発光素子に係る矩形状のパターン例を示す図である。
【図３】側方からみたＬＥＤを示す説明図である。
【図４】図５とともに本発明に用いる発光素子の一例を示すものであり、本図は側方からみた発光素子を示す図である。
【図５】発光素子を光軸方向からみた図である。
【図６】発光部に係る投影像の説明図である。
【図７】図８、図９とともに本発明に用いる発光素子の一例を示すものであり、本図は発光素子をその光軸方向からみた図である。
【図８】発光部同士の相対的な位置関係を示す説明図である。
【図９】発光素子を示す概略斜視図である。
【図１０】光遮蔽部による発光部の分離を示す斜視図である。
【図１１】複数の発光部を一定方向に配列させる場合の構成について説明するための図である。
【図１２】図１３とともに、本発明に係る前照灯の構成例を示すものであり、本図は発光素子からの直射光を利用した構成形態の説明図である。
【図１３】反射光を利用した構成形態の説明図である。
【符号の説明】
１…発光素子、１ａ…発光部、２…チップ部、３…反射部、４…蛍光体、５…レンズ部、１２…発光素子、１３…レンズ部、１４…レンズ部の中心軸、１７…発光部、１７ａ…長辺、１９…発光素子、１９ａ…第一の発光部、１９ｂ…第二の発光部、２０…レンズ部、２６…発光素子、２６ａ、２６ｂ…発光部、２７…光遮蔽部、２８、２８′…発光部、２９、３５…車両用前照灯、３０、３６…レンズ、３１、３８…光学系、３２、３９…発光素子、３４、４０…支持部材、３７…反射鏡
【図１】
2004158294.tif 000003
【図２】
2004158294.tif 000004
【図３】
2004158294.tif 000005
【図４】
2004158294.tif 000006
【図５】
2004158294.tif 000007
【図６】
2004158294.tif 000008
【図７】
2004158294.tif 000009
【図８】
2004158294.tif 000010
【図９】
2004158294.tif 000011
【図１０】
2004158294.tif 000012
【図１１】
2004158294.tif 000013
【図１２】
2004158294.tif 000014
【図１３】
2004158294.tif 000015